(57)【特許請求の範囲】
【請求項１】
部品実装関連の作業を行なう作業装置と、
作業装置の運転状態の設定のための入力操作が行われるタッチパネルと、
タッチパネルから行われた入力操作に応じて作業装置の制御を行うとともに、作業装置の運転状態をタッチパネルに表示させる制御部と、
入力制限操作が行われる入力制限操作部と、
入力制限解除操作が行われる入力制限解除操作部とを備え、
制御部は、入力制限操作部から入力制限操作が行われた場合に、タッチパネルから行われる入力操作の受け付けを制限するとともに、入力操作の受け付けを制限している旨の注意喚起表示を含む透明のシートを模擬した画像を作業装置の運転状態の表示に重ねてタッチパネルに表示させ、入力操作の受け付けを制限している状態で、入力制限解除操作部から入力制限解除操作が行われた場合に、タッチパネルから行なわれる入力操作の受け付けの制限を解除するとともに、タッチパネルに表示させた注意喚起表示を含む透明のシートを模擬した画像を消去させることを特徴とする部品実装用装置。
【請求項２】
制御部は、入力制限解除操作が行われる前にパスワードの入力を要求することを特徴とする請求項１に記載の部品実装用装置。
【請求項３】
部品実装関連の作業を実行する作業装置と、作業装置の運転状態の設定のための入力操作が行われるタッチパネルと、タッチパネルから行われた入力操作に応じて作業装置の制御を行うとともに、作業装置の運転状態をタッチパネルに表示させる制御部と、入力制限操作が行われる入力制限操作部と、入力制限解除操作が行われる入力制限解除操作部とを備えた部品実装用装置の入力管理方法であって、
入力制限操作部から入力制限操作が行われた場合に、タッチパネルから行われる入力操作の受け付けを制限するとともに、入力操作の受け付けを制限している旨の注意喚起表示を含む透明のシートを模擬した画像を作業装置の運転状態の表示に重ねてタッチパネルに表示させる工程と、
入力操作の受け付けを制限している状態で、入力制限解除操作部から入力制限解除操作が行われた場合に、タッチパネルから行なわれる入力操作の受け付けの制限を解除するとともに、タッチパネルに表示させた注意喚起表示を含む透明のシートを模擬した画像を消去させる工程とを含むことを特徴とする部品実装用装置の入力管理方法。
【請求項４】
入力制限解除操作が行われる前にパスワードの入力を要求することを特徴とする請求項３に記載の部品実装用装置の入力管理方法。
【発明の詳細な説明】
【技術分野】
【０００１】
本発明は、部品実装関連の作業を行う部品実装用装置及び部品実装用装置の入力管理方法に関するものである。
【背景技術】
【０００２】
液晶パネルのモジュール製造ラインを構成する部品圧着装置等のように部品実装関連の作業を行なう部品実装用装置では、作業装置の運転状態の設定の入力操作をタッチパネルから行うことができ、作業装置の実際の運転状態は同じくタッチパネルに表示されるようになっている。
【０００３】
このような部品実装用装置では、主としてひとりのオペレータがその部品実装用装置全般の管理に当たり、作業装置の最適な運転に必要な入力操作を自身の判断で行っている。このためオペレータにとっては自分が設定した運転状態を他者によって変更されることは好ましくなく、オペレータは近傍にタッチパネルが設けられている通常の作業位置から離れるときにはタッチパネルの表示をオフにして他者が運転状態の変更操作を行うことができないようにしていた。
【先行技術文献】
【特許文献】
【０００４】
【特許文献１】特開２００３−２７３５６７号公報
【発明の概要】
【発明が解決しようとする課題】
【０００５】
ところで、部品実装用装置を用いた実際の生産現場では、オペレータはタッチパネルに作業装置の運転状態の異常が表示されていないかどうか等を監視する比較的単純な作業を自分以外の他者に頼んでその間に自分は通常の作業位置を離れて他の重要な作業（例えば緊急に行うべきメンテナンス作業等）を並行的に行いたいと考える場合がある。しかしながら、このような場合にタッチパネルの表示をオフにしてしまうと他者は作業装置の運転状態を把握することができず、その一方でタッチパネルの表示をオフにしなければ他者が誤ってタッチパネルを触ってしまって現在の最適な運転状態が変更されてしまうおそれが生じる。
【０００６】
そこで本発明は、作業装置の運転状態がオペレータ以外の他者によって誤って変更されてしまうことを防止しつつ、他者でも作業装置の現在の運転状態を把握することができるようにした部品実装用装置及び部品実装用装置の入力管理方法を提供することを目的とする。
【課題を解決するための手段】
【０００７】
請求項１に記載の部品実装用装置は、部品実装関連の作業を行なう作業装置と、作業装置の運転状態の設定のための入力操作が行われるタッチパネルと、タッチパネルから行われた入力操作に応じて作業装置の制御を行うとともに、作業装置の運転状態をタッチパネルに表示させる制御部と、入力制限操作が行われる入力制限操作部と、入力制限解除操作が行われる入力制限解除操作部とを備え、制御部は、入力制限操作部から入力制限操作が行われた場合に、タッチパネルから行われる入力操作の受け付けを制限するとともに、入力操作の受け付けを制限している旨の注意喚起表示を含む透明のシートを模擬した画像を作業装置の運転状態の表示に重ねてタッチパネルに表示させ、入力操作の受け付けを制限している状態で、入力制限解除操作部から入力制限解除操作が行われた場合に、タッチパネルから行なわれる入力操作の受け付けの制限を解除するとともに、タッチパネルに表示させた注意喚起表示を含む透明のシートを模擬した画像を消去させる。
【０００８】
請求項２に記載の部品実装用装置は、請求項１に記載の部品実装用装置であって、制御部は、入力制限解除操作が行われる前にパスワードの入力を要求する。
【０００９】
請求項３に記載の部品実装用装置の入力管理方法は、部品実装関連の作業を実行する作業装置と、作業装置の運転状態の設定のための入力操作が行われるタッチパネルと、タッチパネルから行われた入力操作に応じて作業装置の制御を行うとともに、作業装置の運転状態をタッチパネルに表示させる制御部と、入力制限操作が行われる入力制限操作部と、入力制限解除操作が行われる入力制限解除操作部とを備えた部品実装用装置の入力管理方法であって、入力制限操作部から入力制限操作が行われた場合に、タッチパネルから行われる入力操作の受け付けを制限するとともに、入力操作の受け付けを制限している旨の注意喚起表示を含む透明のシートを模擬した画像を作業装置の運転状態の表示に重ねてタッチパネルに表示させる工程と、入力操作の受け付けを制限している状態で、入力制限解除操作部から入力制限解除操作が行われた場合に、タッチパネルから行なわれる入力操作の受け付けの制限を解除するとともに、タッチパネルに表示させた注意喚起表示を含む透明のシートを模擬した画像を消去させる工程とを含む。
【００１０】
請求項４に記載の部品実装用装置の入力管理方法は、請求項３に記載の部品実装用装置の入力管理方法であって、入力制限解除操作が行われる前にパスワードの入力を要求する。
【発明の効果】
【００１１】
本発明では、入力制限操作部から入力制限操作が行われた場合には、タッチパネルから行なわれる入力操作の受け付けが制限されるが、タッチパネルによる作業装置の運転状態の表示は維持されるため、作業装置の運転状態がオペレータ以外の他者によって誤って変更されてしまうことを防止しつつ、他者でも作業装置の現在の運転状態を把握することができるようにすることができる。また、タッチパネルから行なわれる入力操作の受け付けが制限されている状態ではその旨（入力操作の受け付けが制限されている旨）の注意喚起表示がタッチパネルに表示されるので、他者は作業装置が現在運転状態を変更することができない状態にあることを容易に把握することができる。
【図面の簡単な説明】
【００１２】
【図１】本発明の一実施の形態におけるモジュール製造ラインの構成図
【図２】本発明の一実施の形態におけるモジュール製造ラインによるパネルのモジュール製造過程を示す図
【図３】本発明の一実施の形態におけるモジュール製造ラインを構成する本圧着装置の斜視図
【図４】本発明の一実施の形態における本圧着装置の側面図
【図５】本発明の一実施の形態における本圧着装置が備えるタッチパネルの画面の一例を示す図
【図６】本発明の一実施の形態における本圧着装置が備えるタッチパネルの画面の一例を示す図
【図７】本発明の一実施の形態における本圧着装置が備えるタッチパネルの画面の一例を示す図
【図８】本発明の一実施の形態における本圧着装置が備えるタッチパネルの画面の一例を示す図
【図９】本発明の一実施の形態における本圧着装置が備えるタッチパネルの画面の一例を示す図
【発明を実施するための形態】
【００１３】
以下、図面を参照して本発明の実施の形態について説明する。図１に示す液晶パネルのモジュール製造ライン１は、基板としての長方形のパネル２の長辺及び短辺それぞれの端部に設けられた複数の端子２ａのそれぞれに駆動回路等の電子部品３（図２も参照）を装着するモジュール製造工程を実行するものであり、端子洗浄装置１１、ＡＣＦ貼付装置１２、仮圧着装置１３、２台の本圧着装置１４（第１の本圧着装置１４ａと第２の本圧着装置１４ｂ）及び検査装置１５がこの順で連結されて成る。これらの装置１１，１２，１３，１４ａ，１４ｂ，１５はホストコンピュータ１６によって統合制御されて動作し、ホストコンピュータ１６から生産指令が出されているとき、上記装置１１，１２，１３，１４ａ，１４ｂ，１５の各々はモジュール製造工程の中における各担当分の生産工程を実行する。
【００１４】
モジュール製造ライン１を構成する端子洗浄装置１１は、外部から投入されたパネル２を受け取り、各端子２ａの洗浄を行ったうえで、そのパネル２を下流側のＡＣＦ貼付装置１２に搬出する。
【００１５】
ＡＣＦ貼付装置１２は、上流側の端子洗浄装置１１から搬出されたパネル２を受け取り、各端子２ａに図２に示すようにＡＣＦ（Ａｎｉｓｏｔｒｏｐｉｃ  Ｃｏｎｄｕｃｔｉｖｅ  Ｆｉｌｍ：異方性導電膜）４を貼付したうえで、そのパネル２を下流側の仮圧着装置１３に搬出する。
【００１６】
仮圧着装置１３は、ＡＣＦ貼付装置１２から搬出されたパネル２を受け取り、各端子２ａに貼付されたＡＣＦ４上に電子部品３を装着（仮圧着）したうえで、そのパネル２を下流側の第１の本圧着装置１４ａに搬出する。
【００１７】
第１の本圧着装置１４ａは、仮圧着装置１３から搬出されたパネル２を受け取り、パネル２の長辺側の各端子２ａに仮圧着された電子部品３を熱圧着（本圧着）したうえで、そのパネル２を下流側の第２の本圧着装置１４ｂに搬出する。
【００１８】
第２の本圧着装置１４ｂは、第１の本圧着装置１４ａから搬出されたパネル２を受け取り、パネル２の短辺側の各端子２ａに仮圧着された電子部品３を熱圧着（本圧着）したうえで、そのパネル２を下流側の検査装置１５に搬出する。
【００１９】
検査装置１５は、第２の本圧着装置１４ｂから搬出されたパネル２を受け取り、パネル２の各端子２ａに本圧着された電子部品３の外観検査を行ったうえで、パネル２を外部に搬出する。
【００２０】
次に、上記モジュール製造ライン１を構成する本圧着装置１４（第１の本圧着装置１４ａ及び第２の本圧着装置１４ｂ）の構成について説明する。図３において本圧着装置１４は、基台２１上に設けられた直交座標系ロボットから成るパネル移動機構２２、パネル移動機構２２によって移動されるパネル保持テーブル２３、基台２１上に設けられてパネル保持テーブル２３に保持されたパネル２の一辺を下方から支持するバックアップステージ２４、基台２１上のパネル移動機構２２とバックアップステージ２４の間の領域に撮像視野を上方に向けて設けられた２つのカメラ２５、バックアップステージ２４の上方に設けられた作業装置（圧着部）２６及び基台２１内に設けられて上記各部の作動制御を行う制御装置２７を有して構成されている。
【００２１】
図３及び図４において、作業装置２６は、基台２１上に設けられた門型フレーム３１、門型フレーム３１に設けられた昇降モータ３２により回転駆動されるボール螺子機構３３によって昇降される昇降ベース３４、昇降ベース３４に設けられた複数の加圧シリンダ３５及び各加圧シリンダ３５によって昇降される複数の圧着ツール３６を有して成る。各圧着ツール３６及びバックアップステージ２４にはそれぞれヒータ３７が設けられている。
【００２２】
図３において、制御装置２７にはタッチパネル４０が接続されている。このタッチパネル４０は、オペレータＯＰの通常の作業位置の近傍に設けられている。
【００２３】
図５はタッチパネル４０の画面４１の一例を示したものであり、タッチパネル４０の画面４１上には、作業装置２６の現在の運転状態を表示するステータス表示エリア５１、種々の機能選択及び操作レベルの設定を行う機能操作エリア５２、現在のパネル２の生産状況の情報を表示する生産情報表示エリア５３、作業装置２６の運転状態のモード選択を行うモード選択エリア５４、作業装置２６の各部について設定されている情報を表示する設備詳細情報表示エリア５５及び設備詳細情報表示エリア５５に表示される画面内容の選択を行う画面選択エリア５６が設けられている。ここでは機能操作エリア５２、モード選択エリア５４及び画面選択エリア５６はオペレータＯＰによる入力操作が行われる入力操作エリアであり、ステータス表示エリア５１、生産情報表示エリア５３及び設備詳細情報表示エリア５５は制御装置２７によって作業装置２６の運転状態が表示される表示エリアである。
【００２４】
オペレータＯＰはタッチパネル４０の画面４１上の入力操作エリアから入力操作を行って作業装置２６の運転状態の設定を行い、制御装置２７はタッチパネル４０から行われた入力操作に応じて作業装置２６を含む各部の作動制御を行うとともに、作業装置２６を含む各部の運転状態をタッチパネル４０に表示させる。
【００２５】
本圧着装置１４がパネル２に載置（仮圧着）された電子部品３をパネル２上に本圧着する作業を行う場合、本圧着装置１４の制御装置２７は先ず、２つのヒータ３７の温度制御を行って各ヒータ３７の温度を所定の温度に保持させる。このときのヒータ３７の温度は、オペレータＯＰがタッチパネル４０の画面４１の入力操作エリアから所定の操作を行って予め設定しておく。
【００２６】
制御装置２７は、ヒータ３７の温度が所定の温度に保持されるようにした後、上流側の装置（第１の本圧着装置１４ａであれば仮圧着装置１３、第２の本圧着装置１４ｂであれば第１の本圧着装置１４ａ）からパネル２が送られてきたことを検知したときには、パネル移動機構２２の作動制御を行ってパネル保持テーブル２３を移動させ、パネル保持テーブル２３の上面にパネル２を保持させた後、更にパネル保持テーブル２３を移動させてパネル２の一辺（端子２ａが並んで設けられた一辺）がバックアップステージ２４側に向き、かつバックアップステージ２４と平行になるようにしたうえで（図３）、パネル２の両端に設けられた２つの位置決めマーク（図示せず）がそれぞれカメラ２５の撮像視野内に入るようにパネル２の位置決めを行う（図４）。そして、位置決めマークの撮像が済んだらパネル２をバックアップステージ２４側に移動させて、端子２ａが並んで設けられた一辺がバックアップステージ２４に載置されるようにパネル２を移動させる。
【００２７】
本圧着装置１４の制御装置２７は、端子２ａが並んで設けられたパネル２の一辺がバックアップステージ２４に載置されるようにパネル２を移動させたら、昇降ベース３４を下降させるとともに、各加圧シリンダ３５を作動させて圧着ツール３６を下降させる。これにより端子２ａに仮圧着されていた各電子部品３が端子２ａごとバックアップステージ２４に押し付けられ、電子部品３がパネル２に圧着（本圧着）される。なお、このとき圧着ツール３６が電子部品３をパネル２に押し付ける荷重等は、オペレータＯＰがタッチパネル４０の画面４１の入力設定エリアから所定の操作を行って予め設定しておく。
【００２８】
制御装置２７は、電子部品３の圧着が終了したら、パネル移動機構２２の作動制御を行ってパネル保持テーブル２３を移動させ、パネル２を下流側の装置（第１の本圧着装置１４ａであれば第２の本圧着装置１４ｂ、第２の本圧着装置１４ｂであれば検査装置１５）に搬出する。
【００２９】
このように本圧着装置１４は、部品実装関連の作業である電子部品３の圧着作業を行う作業装置２６、作業装置２６の運転状態の設定のための入力操作が行われるタッチパネル４０、タッチパネル４０から行われた入力操作に応じて作業装置２６の制御を行うとともに、作業装置２６の運転状態をタッチパネル４０に表示させる制御部としての制御装置２７を備えたものとなっているが、本圧着装置１４には更に、オペレータＯＰが通常の作業位置を離れるとき（例えば、ヒータ３７の温度を変更する設定を行った後、圧着ツール３６及びバックアップステージ２４の温度が安定するまでの間などには別の作業を行うことができる時間が十分にある）、オペレータＯＰ以外の他者が誤ってタッチパネル４０を触ってしまっても作業装置２６の現在の運転状態が変更されないようにするための入力管理を行うことができる構成が組み込まれており、以下にその説明を行う。
【００３０】
オペレータＯＰは、通常の作業位置を離れるときなど、自分以外の他者によるタッチパネル４０からの入力操作を制限したい場合には、タッチパネル４０の画面４１上の機能操作エリア５２内に用意された「機能」ボタン５２ａ（図５）を操作する。制御装置２７は、「機能」ボタン５２ａが操作された場合には、図６に示すようにプルダウンメニュー６１を表示する。この「機能」ボタン５２ａのプルダウンメニュー６１には種々の機能の選択を行う「機能１」、「機能２」、・・・等のボタンのほか、「画面ロック」ボタン６１ａが用意されており、オペレータＯＰがこの「画面ロック」ボタン６１ａを操作すると、制御装置２７は、「メンテナンス中／ロックを解除するためには操作レベルを変更してください」という文字列から成る注意喚起表示を含む透明のシートを模擬した画像（以下、透明シート画像６２と称する）を生産情報表示エリア５３、モード選択エリア５４、設備詳細情報表示エリア５５及び画面選択エリア５６の領域にオーバーライドして表示する（図７）。
【００３１】
制御装置２７によってタッチパネル４０の画面４１上に透明シート画像６２が表示された場合、その透明シート画像６２によって覆われた領域内にある入力操作エリア（モード選択エリア５４及び画面選択エリア５６）からの入力操作は禁止され（操作を行っても無効となる）、透明シート画像６２によって覆われていない入力操作エリアである機能操作エリア５２からの入力操作のみが可能となる。
【００３２】
これは、オペレータＯＰが通常の作業位置を離れている状態において、オペレータＯＰ以外の他者はタッチパネル４０に表示された作業装置２６の運転状態を把握することはできるが、その他者による操作入力は制限されており、事実上、運転状態の変更操作は一切禁止されている状態である。
【００３３】
このように、制御装置２７は、オペレータＯＰがタッチパネル４０の画面４１に表示させた入力制限操作部である「画面ロック」ボタン６１ａが、オペレータＯＰによってタッチされた（入力制限操作が行われた）場合には、タッチパネル４０から行われる入力操作の受け付けを制限するとともに、その入力操作の受け付けを制限している旨の注意喚起表示（「メンテナンス中／ロックを解除するためには操作レベルを変更してください」という文字列の表示）を作業装置２６の運転状態の表示を行う生産情報表示エリア５３及び設備詳細情報表示エリア５５における表示に重ねてタッチパネル４０に表示するようになっている（入力操作制限及び注意喚起表示工程）。
【００３４】
制御装置２７は、上記のように入力操作の受け付けを制限し、透明シート画像６２をタッチパネル４０の画面４１に表示させている状態で、オペレータＯＰによって機能操作エリア５２内の「操作レベル」ボタン５２ｂの操作がなされた場合には、タッチパネル４０の画面４１上にパスワードの入力を促すパスワード入力用ダイアログボックス６３を表示する（図８。パスワード入力要求工程）。そして、制御装置２７は、オペレータＯＰによってパスワード入力用ダイアログボックス６３からパスワードの入力がなされたときには、そのパスワードが予め登録されたものと一致するかどうかの判断を行い、入力されたパスワードが予め登録されたものと一致した場合には「操作レベル」ボタン５２ｂのプルダウンメニュー６４を表示する（図９）。
【００３５】
「操作レベル」ボタン５２ｂのプルダウンメニュー６４にはタッチパネル４０から行うことができる入力操作の種類を制限するレベル（操作レベル）を段階的に選択する３つのボタン（「レベル１」ボタン６４ａ、「レベル２」ボタン６４ｂ、「レベル３」ボタン６４ｃ）が用意されており、オペレータＯＰがこれら３つのボタンのいずれかを操作（タッチ）すると、制御装置２７は、オペレータＯＰが操作したボタンに対応する操作レベルを設定する。
【００３６】
本実施の形態では、「レベル１」ボタン６４ａの操作によって選択される「レベル１」は、透明シート画像６２を非表示にして（したがって注意喚起表示は消去される）、タッチパネル４０から行なわれる入力操作の受け付けの制限を全て解除するレベルであり、「レベル２」ボタン６４ｂの操作によって選択されるレベル２は入力操作の受け付けを「機能」ボタン５２ａのプルダウンメニュー６１から「画面ロック」ボタン６１ａを操作した場合よりは緩和した程度で制限するレベル（透明シート画像６２の範囲は縮小する）である。また、「レベル３」ボタン６４ｃの操作によって選択されるレベル３は「画面ロック」ボタン６１ａを操作したときと同レベルに入力操作の受け付けを制限するレベル（透明シート画像６２の範囲は「画面ロック」ボタン６１ａ操作時と同じ）である。
【００３７】
したがって、オペレータＯＰは、「機能」ボタン５２ａのプルダウンメニュー６１から「画面ロック」ボタン６１ａを操作することによってタッチパネル４０から行う入力操作を制限した後であっても、「操作レベル」ボタン５２ｂのプルダウンメニュー６４から「レベル１」ボタン６４ａを操作することによってその入力操作の制限を解除することができる。
【００３８】
このように、制御装置２７は、入力操作の受け付けを制限している状態で、入力制限解除操作部である「操作レベル」ボタン５２ｂのプルダウンメニュー６４の中の「レベル１」６４ａボタンの操作（入力制限解除操作）が行われた場合に、タッチパネル４０から行なわれる入力操作の受け付けの制限を解除するとともに、タッチパネル４０に表示させた注意喚起表示を消去させるようになっている（入力操作制限解除及び注意喚起表示消去工程）。
【００３９】
以上説明したように、本実施の形態における本圧着装置１４（部品実装用装置）は、入力制限操作が行われる入力制限操作部（「機能」ボタン５２ａのプルダウンメニュー６１の中の「画面ロック」ボタン６１ａ）及び入力制限解除操作が行われる入力制限解除操作部（「操作レベル」ボタン５２ｂのプルダウンメニュー６４中の「レベル１」ボタン６４ａ）を備え、制御装置２７（制御部）は、入力制限操作部から入力制限操作が行われた場合に、タッチパネル４０から行われる入力操作の受け付けを制限するとともに、入力操作の受け付けを制限している旨の注意喚起表示を作業装置２６の運転状態の表示に重ねてタッチパネル４０に表示させ、入力操作の受け付けを制限している状態で、入力制限解除操作部から入力制限解除操作が行われた場合に、タッチパネル４０から行なわれる入力操作の受け付けの制限を解除するとともに、タッチパネル４０に表示させた注意喚起表示を消去させるようになっている。
【００４０】
また、本実施の形態における本圧着装置１４の入力管理方法は、入力制限操作部から入力制限操作が行われた場合に、タッチパネル４０から行われる入力操作の受け付けを制限するとともに、入力操作の受け付けを制限している旨の注意喚起表示を作業装置２６の運転状態の表示に重ねてタッチパネル４０に表示させる工程（前述の入力操作制限及び注意喚起表示工程）と、入力操作の受け付けを制限している状態で、入力制限解除操作部から入力制限解除操作が行われた場合に、タッチパネル４０から行なわれる入力操作の受け付けの制限を解除するとともに、タッチパネル４０に表示させた注意喚起表示を消去させる工程（前述の入力操作制限解除及び注意喚起表示消去工程）を含むものとなっている。
【００４１】
本実施の形態における本圧着装置１４及びその入力管理方法では、入力制限操作部から入力制限操作が行われた場合には、タッチパネル４０から行なわれる入力操作の受け付けが制限されるが、タッチパネル４０による作業装置２６の運転状態の表示は維持されるため、作業装置２６の運転状態がオペレータＯＰ以外の他者によって誤って変更されてしまうことを防止しつつ、他者でも作業装置２６の現在の運転状態を把握することができるようにすることができる。また、タッチパネル４０から行なわれる入力操作の受け付けが制限されている状態ではその旨（入力操作の受け付けが制限されている旨）の注意喚起表示がタッチパネル４０に表示されるので、他者は作業装置２６が現在運転状態を変更することができない状態にあることを容易に把握することができる。
【００４２】
また、本実施の形態では、制御装置２７は、入力制限解除操作が行われる前にパスワードの入力を要求するようになっているので（前述のパスワード入力要求工程）、オペレータＯＰ以外の他者が入力制限解除操作を行うことを禁止する機能は非常に高いものとなっている。なお、上述の実施の形態では、パスワードの入力の要求は、オペレータＯＰが機能操作エリア５２から「操作レベル」ボタン５２ｂの操作を行った直後になされるようになっていたが、このような構成に変えて、プルダウンメニュー６４が表示された後、そのプルダウンメニュー６４から操作レベルの選択操作を行う際に要求されるようになっていてもよい。
【００４３】
なお、上述の実施の形態では、入力制限操作部（「画面ロック」ボタン６１ａ）と入力制限解除操作部（「レベル１」ボタン６４ａ）はともにタッチパネル４０の画面４１上に表示されるものであったが、これは必ずしもタッチパネル４０の画面４１上に表示されるものでなくてもよく、タッチパネル４０の外部に専用の装置として設けられていても構わない。
【００４４】
また、上述の実施の形態では、本発明が適用される部品実装用装置として液晶パネルのモジュール製造ライン１を構成する本圧着装置１４を例示したが、部品実装用装置は部品実装関連の作業を行なう作業装置を備えていればよく、液晶パネルのモジュール製造ライン１を構成する他の装置（ＡＣＦ貼付装置１２や仮圧着装置１３など）のほか、プリント基板に部品を実装する部品実装ラインを構成する各装置（部品装着機やスクリーン印刷機、検査機など）等であってもよい。
【産業上の利用可能性】
【００４５】
作業装置の運転状態がオペレータ以外の他者によって誤って変更されてしまうことを防止しつつ、他者でも作業装置の現在の運転状態を把握することができるようにした部品実装用装置及び部品実装用装置の入力管理方法を提供する。
【符号の説明】
【００４６】
１４  本圧着装置（部品実装用装置）
２６  作業装置
２７  制御装置（制御部）
４０  タッチパネル
６１ａ  「画面ロック」ボタン（入力制限操作部）
６４ａ  「レベル１」ボタン（入力制限解除操作部）
【図１】
0005866513.tif 000002
【図２】
0005866513.tif 000003
【図３】
0005866513.tif 000004
【図４】
0005866513.tif 000005
【図５】
0005866513.tif 000006
【図６】
0005866513.tif 000007
【図７】
0005866513.tif 000008
【図８】
0005866513.tif 000009
【図９】
0005866513.tif 000010